(57)【要約】【課題】ゾーン空調手段により空調対象ゾーンを空調する際、省エネルギー化を実現しながら、しかも、より確実に快適性を維持することのできる空調システムを提供する。【解決手段】空調対象ゾーンを空調するゾーン空調手段と、空調対象ゾーンの人の存在、及び、空調対象ゾーンの近傍ゾーンにおける人の存在を検知する人検知手段とを設け、人検知手段が近傍ゾーンにおける人の存在を検知したとき、無人用の準備空調運転をゾーン空調手段に実行させ、且つ、人検知手段が空調対象ゾーンにおける人の存在を検知したとき、有人用の本空調運転をゾーン空調手段に実行させる制御手段を設ける。【選択図】図３
2015114085.tif 000002
【特許請求の範囲】
【請求項１】
空調対象ゾーンを空調するゾーン空調手段と、
前記空調対象ゾーンの人の存在、及び、空調対象ゾーンの近傍ゾーンにおける人の存在を検知する人検知手段とを設け、
前記人検知手段が前記近傍ゾーンにおける人の存在を検知したとき、無人用の準備空調運転を前記ゾーン空調手段に実行させ、且つ、人検知手段が空調対象ゾーンにおける人の存在を検知したとき、有人用の本空調運転をゾーン空調手段に実行させる制御手段を設ける空調システム。
【請求項２】
前記制御手段は、温度調整と換気のうち、前記準備空調運転では温度調整を前記ゾーン空調手段に実行させ、且つ、前記本空調運転では温度調整と換気とをゾーン空調手段に実行させる請求項１に記載の空調システム。
【請求項３】
前記ゾーン空調手段を、前記空調対象ゾーンに対応して配備されたファンコイルユニットと、空調対象ゾーンに送風する送風ファンと、空調対象ゾーンを換気する換気手段とから構成するとともに、
前記制御手段は、前記人検知手段が、前記空調対象ゾーンの人の存在、及び、前記近傍ゾーンにおける人の存在のいずれも検知していないとき、前記ファンコイルユニットを作動させる第一運転状態と、ファンコイルユニットを停止して送風ファンを作動させる第二運転状態と、ファンコイルユニット及び送風ファンを停止する停止状態とを順次に切り替える切替運転を前記ゾーン空調手段に実行させるとともに、
更に、前記制御手段は、前記空調対象ゾーンを冷房する冷房モードでは、前記準備空調運転として、前記ファンコイルユニットと前記送風ファンを作動させて前記換気手段を停止する空調運転を前記ゾーン空調手段に実行させ、且つ、前記本空調運転として、前記ファンコイルユニットと前記送風ファンと前記換気手段を作動させる空調運転を前記ゾーン空調手段に実行させる請求項２に記載の空調システム。
【請求項４】
前記ゾーン空調手段を、前記空調対象ゾーンに対応して配備されたファンコイルユニットと、空調対象ゾーンに送風する送風ファンと、空調対象ゾーンを換気する換気手段とから構成するとともに、
前記制御手段は、前記人検知手段が、前記空調対象ゾーンの人の存在、及び、前記近傍ゾーンにおける人の存在のいずれも検知していないとき、前記ファンコイルユニットを作動させる第一運転状態と、ファンコイルユニットを停止して送風ファンを作動させる第二運転状態と、ファンコイルユニット及び送風ファンを停止する停止状態とを順次に切り替える切替運転を前記ゾーン空調手段に実行させるとともに、
更に、前記制御手段は、前記空調対象ゾーンを暖房する暖房モードでは、前記準備空調運転として、前記換気手段を停止して前記ファンコイルユニットと前記送風ファンを作動させる空調運転を前記ゾーン空調手段に実行させ、且つ、前記本空調運転として、前記送風ファンを停止してファンコイルユニットと換気手段を作動させる空調運転を前記ゾーン空調手段に実行させる請求項２に記載の空調システム。
【発明の詳細な説明】
【技術分野】
【０００１】
本発明は、空調対象ゾーンを空調するゾーン空調手段を備え、ゾーン空調手段により空調対象ゾーンを空調する際、快適性を損なうことなく、省エネルギー化を実現できる空調システムに関する。
【背景技術】
【０００２】
従来、この種の空調システムでは、制御手段が、空調対象ゾーン内を所定の目標温度に維持するようにゾーン空調手段の運転を制御する構成とされていたが、このような構成の場合、快適性を向上させることができるものの、省エネルギー化の上で更なる改良が課題であった。また、この種の空調システムでは、省エネルギー化のために、ゾーン空調手段の運転と停止とを繰り返す間欠空調運転を実行する構成とされているものもあるが、快適性の確保について更なる改良が課題であった。
【０００３】
そのため、この種の空調システムにおいて、例えば、冷風を供給して空調対象ゾーン内を空調するファンコイルユニットと、空調対象ゾーン内に送風する送風ファンと、各機器の作動を制御する制御手段とを設け、制御手段が、空調対象ゾーン内が所定の目標温度となるようにファンコイルユニットを作動させる冷房運転モードと、ファンコイルユニット及び送風ファンを停止させる停止運転モードと、ファンコイルユニットを停止させ且つ送風ファンを作動させる涼風運転モードとを順次切り替えて実行する構成が提案されている（特許文献１参照）。
特許文献１に記載の空調システムによれば、ファンコイルユニット（冷房）及び送風ファンを停止する停止運転モードでは、省エネルギー化を図ることができる。また、ファンコイルユニット（冷房）を停止させながら送風ファンを運転する涼風運転モードでは、省エネルギー化を図ることができるとともに、空調対象ゾーン内の温度が目標温度に対して所定温度上昇した場合でも、送風ファンの送風による気流感により快適性を維持することができる。
【先行技術文献】
【特許文献】
【０００４】
【特許文献１】特開２０１２−０５７９１５号公報
【発明の概要】
【発明が解決しようとする課題】
【０００５】
しかしながら、特許文献１に記載の空調システムでは、空調対象ゾーン内を冷房する際には、涼風運転モードにおいてファンコイルユニットを停止し送風ファンを作動させることで、空調対象ゾーン内に送風し快適性を維持することができるものの、暖房を行う際には、送風ファンを作動させるだけでは快適性を維持することは困難である。
また、停止運転モードや涼風運転モードの実行時において、ファンコイルユニットが停止している状態では、目標温度に対して空調対象ゾーン内の温度が変動するが、このような状態で空調対象ゾーン内に人が立ち入ると、当該人の代謝状態等によっては温冷感が悪化し快適性を損なう虞がある。即ち、空調対象ゾーン内に人が立ち入ってから冷房運転モードに移行したとしても、空調対象ゾーン内が目標温度に収束するまでに時間遅れが生じるため、当該人の温冷感の悪化及び快適性の低下を防止することは困難となる。
【０００６】
従って、本発明の目的は、上記問題点を解消し、ゾーン空調手段により空調対象ゾーンを空調する際、省エネルギー化を実現しながら、しかも、より確実に快適性を維持することのできる空調システムを提供することにある。
【課題を解決するための手段】
【０００７】
本発明の第１の特徴構成は、空調対象ゾーンを空調するゾーン空調手段と、
前記空調対象ゾーンの人の存在、及び、空調対象ゾーンの近傍ゾーンにおける人の存在を検知する人検知手段とを設け、
前記人検知手段が前記近傍ゾーンにおける人の存在を検知したとき、無人用の準備空調運転を前記ゾーン空調手段に実行させ、且つ、人検知手段が空調対象ゾーンにおける人の存在を検知したとき、有人用の本空調運転をゾーン空調手段に実行させる制御手段を設けるところにある。
【０００８】
本発明の第１の特徴構成によれば、人検知手段が空調対象ゾーンにおける人の存在を検知したときには、制御手段は有人用の本空調運転をゾーン空調手段に実行させるので、空調対象ゾーン内を確実に空調でき、快適性を維持することができる。
一方で、人検知手段が空調対象ゾーンに隣接する近傍ゾーンにおける人の存在を検知し且つ空調対象ゾーンで人の存在を検知していないときには、制御手段は温度・湿度・風速や空気清浄度等の配慮が不要で、且つ、有人用の本空調運転と比較して省エネルギーな無人用の準備空調運転をゾーン空調手段に実行させる。これにより、空調対象ゾーン内における人の不在時の省エネルギー化を図ることができ、しかも、近傍ゾーンに存在する人が空調対象ゾーン内に移動する前に、予め空調対象ゾーン内をある程度空調し（無人用の準備空調運転をし）、空調対象ゾーン内に人が移動した後に本空調運転を行った際には、より迅速に目標温度に収束させることが可能となる。従って、当該人の温冷感の悪化及び快適性の低下をより確実に防止することができる。
よって、ゾーン空調手段により空調対象ゾーンを空調する際、空調対象ゾーン内における人の在・不在の状況に応じてゾーン空調手段を適切に運転することができ、省エネルギー化を実現しながら、しかも、より確実に快適性を維持することができる。
【０００９】
本発明の第２の特徴構成は、前記制御手段は、温度調整と換気のうち、前記準備空調運転では温度調整を前記ゾーン空調手段に実行させ、且つ、前記本空調運転では温度調整と換気とをゾーン空調手段に実行させるところにある。
【００１０】
本発明の第２の特徴構成によれば、準備空調運転では、空調対象ゾーン内に人が存在しない状態で、ゾーン空調手段が換気を行わずに温度調整を行うので、省エネルギー化を図ることができることに加えて、空調対象ゾーン内を予め温度調整することができ、空調対象ゾーン内に人が移動した後に本空調運転を行った際に、より迅速に目標温度に収束させることが可能となる。この場合、換気により空気清浄度等を調整しなくても、空調対象ゾーン内には人が存在していないので特段の問題は発生しない。
一方で、本空調運転では、準備空調運転において空調対象ゾーン内が予め温度調整されているので、温度調整を行うことで、より迅速に目標温度に収束できることに加えて、換気を行うことで、空調対象ゾーン内の空気清浄度を適切に調整することができ、空調対象ゾーン内に存在する人の快適性の低下を防止することができる。
【００１１】
本発明の第３の特徴構成は、前記ゾーン空調手段を、前記空調対象ゾーンに対応して配備されたファンコイルユニットと、空調対象ゾーンに送風する送風ファンと、空調対象ゾーンを換気する換気手段とから構成するとともに、
前記制御手段は、前記人検知手段が、前記空調対象ゾーンの人の存在、及び、前記近傍ゾーンにおける人の存在のいずれも検知していないとき、前記ファンコイルユニットを作動させる第一運転状態と、ファンコイルユニットを停止して送風ファンを作動させる第二運転状態と、ファンコイルユニット及び送風ファンを停止する停止状態とを順次に切り替える切替運転を前記ゾーン空調手段に実行させるとともに、
更に、前記制御手段は、前記空調対象ゾーンを冷房する冷房モードでは、前記準備空調運転として、前記ファンコイルユニットと前記送風ファンを作動させて前記換気手段を停止する空調運転を前記ゾーン空調手段に実行させ、且つ、前記本空調運転として、前記ファンコイルユニットと前記送風ファンと前記換気手段を作動させる空調運転を前記ゾーン空調手段に実行させるところにある。
【００１２】
本発明の第３の特徴構成によれば、人検知手段が、空調対象ゾーンの人の存在、及び、近傍ゾーンにおける人の存在のいずれも検知していないときには、制御手段が、ファンコイルユニットを作動させる第一運転状態と、ファンコイルユニットを停止して送風ファンを作動させる第二運転状態と、ファンコイルユニット及び送風ファンを停止する停止状態とを順次に切り替える切替運転を、ゾーン空調手段に実行させる。これにより、第一運転状態ではファンコイルユニットにより空調対象ゾーン内を確実に空調することができ、第二運転状態では送風ファンの送風（気流）により体感温度を変化させ快適性を維持しつつ省エネルギー化を図ることができ、さらに、停止状態では省エネルギー化を図ることができる。
【００１３】
そして、上記の切替運転において空調対象ゾーンを冷房する冷房モードの実行中に、人検知手段が近傍ゾーンにおいて人の存在を検知したときには、検知前の運転状態に拘らず、準備空調運転としてファンコイルユニットと送風ファンを作動させて換気手段を停止する空調運転をゾーン空調手段に実行させて、空調対象ゾーン内における人の不在時の省エネルギー化を図ることができるとともに、近傍ゾーンに存在する人が空調対象ゾーン内に移動する前に、送風ファンによって空調対象ゾーン内に発生させた気流により空気を循環させつつ、予め空調対象ゾーン内をある程度冷房し（無人用の準備空調運転をし）、空調対象ゾーン内に人が移動した後に本空調運転を行った際には、より迅速に目標温度に収束させることが可能となる。従って、当該人の温冷感の悪化及び快適性の低下をより確実に防止することができる。
同様に、冷房モードの実行中に、人検知手段が空調対象ゾーンにおいて人の存在を検知したときは、検知前の運転状態に拘らず、本空調運転としてファンコイルユニットと送風ファンと換気手段とを作動させる空調運転をゾーン空調手段に実行させて、空調対象ゾーン内における温度調整・送風・換気（空気清浄度の調整）を確実に行うことができ、快適性を維持することができる。
【００１４】
本発明の第４の特徴構成は、前記ゾーン空調手段を、前記空調対象ゾーンに対応して配備されたファンコイルユニットと、空調対象ゾーンに送風する送風ファンと、空調対象ゾーンを換気する換気手段とから構成するとともに、
前記制御手段は、前記人検知手段が、前記空調対象ゾーンの人の存在、及び、前記近傍ゾーンにおける人の存在のいずれも検知していないとき、前記ファンコイルユニットを作動させる第一運転状態と、ファンコイルユニットを停止して送風ファンを作動させる第二運転状態と、ファンコイルユニット及び送風ファンを停止する停止状態とを順次に切り替える切替運転を前記ゾーン空調手段に実行させるとともに、
更に、前記制御手段は、前記空調対象ゾーンを暖房する暖房モードでは、前記準備空調運転として、前記換気手段を停止して前記ファンコイルユニットと前記送風ファンを作動させる空調運転を前記ゾーン空調手段に実行させ、且つ、前記本空調運転として、前記送風ファンを停止してファンコイルユニットと換気手段を作動させる空調運転を前記ゾーン空調手段に実行させるところにある。
【００１５】
本発明の第４の特徴構成によれば、人検知手段が、空調対象ゾーンの人の存在、及び、近傍ゾーンにおける人の存在のいずれも検知していないときには、制御手段が、ファンコイルユニットを作動させる第一運転状態と、ファンコイルユニットを停止して送風ファンを作動させる第二運転状態と、ファンコイルユニット及び送風ファンを停止する停止状態とを順次に切り替える切替運転を、ゾーン空調手段に実行させる。これにより、第一運転状態ではファンコイルユニットにより空調対象ゾーン内を確実に空調することができ、第二運転状態では送風ファンの送風（気流）により体感温度を変化させ快適性を維持しつつ省エネルギー化を図ることができ、さらに、停止状態では省エネルギー化を図ることができる。
【００１６】
そして、上記の切替運転において空調対象ゾーンを暖房する暖房モードの実行中に、人検知手段が近傍ゾーンにおいて人の存在を検知したときには、検知前の運転状態に拘らず、準備空調運転として換気手段を停止してファンコイルユニットと送風ファンを作動させる空調運転をゾーン空調手段に実行させて、空調対象ゾーン内における人の不在時の省エネルギー化を図ることができるとともに、近傍ゾーンに存在する人が空調対象ゾーン内に移動する前に、送風ファンによって空調対象ゾーン内に発生させた気流により空気を循環させつつ、予め空調対象ゾーン内をある程度暖房し（無人用の準備空調運転をし）、空調対象ゾーン内に人が移動した後に本空調運転を行った際には、より迅速に目標温度に収束させることが可能となる。従って、当該人の温冷感の悪化及び快適性の低下をより確実に防止することができる。
同様に、暖房モードの実行中に、人検知手段が空調対象ゾーンにおいて人の存在を検知したときは、検知前の運転状態に拘らず、本空調運転として送風ファンを停止してファンコイルユニットと換気手段とを作動させる空調運転をゾーン空調手段に実行させて、空調対象ゾーン内における温度調整・換気（空気清浄度の調整）を確実に行うことができ、快適性を維持することができる。
【図面の簡単な説明】
【００１７】
【図１】空調システムを備えた空気調和設備の概略を示す図
【図２】切替運転の概略説明図
【図３】第１ゾーンに人が存在する場合の第１〜第３ゾーンにおける空調運転の概略説明図
【図４】第２ゾーンに人が存在する場合の第１〜第３ゾーンにおける空調運転の概略説明図
【図５】第３ゾーンに人が存在する場合の第１〜第３ゾーンにおける空調運転の概略説明図
【図６】制御手段による制御フロー図
【発明を実施するための形態】
【００１８】
以下に、本発明に係る空調システムの実施形態を図面に基づいて説明する。
図１に示すように、空気調和設備Ｗは複数の空調システム（例えば、第１空調システムＵ１〜第３空調システムＵ３）を備え、外部空間（図示せず）から区画される空調対象空間Ｓ内を所定の目標温度とすべく空調動作するように構成されている。空調対象空間Ｓ内は複数のゾーン（例えば、第１ゾーンＳ１〜第３ゾーンＳ３）に領域分けされ、各ゾーンＳ１〜Ｓ３に対応する状態で設けられた各空調システムＵ１〜Ｕ３が各ゾーンＳ１〜Ｓ３を空調するように構成されている。
【００１９】
空調対象空間Ｓとしては、例えば、美術館や博物館等の室内空間を例示することができ、各ゾーンＳ１〜Ｓ３同士が連通する状態で配置されて、入口（図示せず）から出口（図示せず）に向かって直列に第１ゾーンＳ１、第２ゾーンＳ２、第３ゾーンＳ３の順に配置されており、入口を介して室内空間に立ち入った人が第１ゾーンＳ１、第２ゾーンＳ２、第３ゾーンＳ３の順に進行し、出口を介して退出できるように、基本的な歩行順路が設定されている。
【００２０】
空調対象空間Ｓの外部空間には換気装置Ｒが設けられ、当該換気装置Ｒにより、外部空間の空気を空調対象空間Ｓ内に導入するとともに、空調対象空間Ｓ内の空気を外部空間に排出可能に構成されている。具体的には、換気装置Ｒは、導入ファン（図示せず）の作動により、メイン供給管１から分岐する第１供給管２、第２供給管３及び第３供給管４の夫々に設けられた導入量可変バルブ２Ａ〜４Ａを介して、第１ゾーンＳ１、第２ゾーンＳ２及び第３ゾーンＳ３の夫々に対して外部空間の空気を供給可能に構成されているとともに、メイン排出管５において第１ゾーンＳ１、第２ゾーンＳ２及び第３ゾーンＳ３の夫々に対応する位置に開口形成された第１排出口６〜第３排出口８を介して、空調対象空間Ｓ内の空気を外部空間に排出可能に構成されている。なお、各導入量可変バルブ２Ａ〜４Ａの作動は後述する制御手段Ｃからの指令により制御され、作動の開始・停止及び各ゾーンＳ１〜Ｓ３に導入する空気の量の調整等を行うことができる。
【００２１】
第１ゾーンＳ１の天井部（図示せず）には、ファンａ及び熱交換部ｂを備えた第１ファンコイルユニット９が設けられ、第１ファンコイルユニット９は、ファンａの作動により吸引口９ａを介して吸引した第１ゾーンＳ１内の空気を、熱交換部ｂに通流する熱媒（図示せず）と熱交換させて温度調整した後、温度調整した空気を供給口９ｂを介して第１ゾーンＳ１内に供給するように構成されている。
第２ゾーンＳ２の天井部及び第３ゾーンＳ３の天井部にも、夫々同様に、第２ゾーンＳ２内の空気を温度調整後に第２ゾーンＳ２内に供給する第２ファンコイルユニット１０、第３ゾーンＳ３内の空気を温度調整後に第３ゾーンＳ３内に供給する第３ファンコイルユニット１１が設けられている。なお、各ファンコイルユニット９〜１１の運転は制御手段Ｃからの指令により制御され、作動の開始・停止及び各ゾーンＳ１〜Ｓ３に導入する空気の温度や供給量の調整等を行うことができる。
【００２２】
第１ゾーンＳ１の天井部における下面側には、第１ゾーンＳ１内の人の在・不在を検知可能な第１人感センサＨ１と、第１ゾーンＳ１内の空気の温度を検知可能な第１温度センサＴ１と、第１ゾーンＳ１内の空気を送風し攪拌可能な第１送風ファンＦ１とが設けられている。同様に、第２ゾーンＳ２の天井部における下面側にも、第２人感センサＨ２、第２温度センサＴ２及び第２送風ファンＦ２が設けられ、第３ゾーンＳ３の天井部における下面側にも、第３人感センサＨ３、第３温度センサＴ３及び第３送風ファンＦ３が設けられている。なお、各人感センサＨ１〜Ｈ３は、赤外線やＣＣＤカメラを用いた公知の人感センサにより構成され、対応する各ゾーンＳ１〜Ｓ３内における人の在・不在の情報を制御手段Ｃに対して出力可能に構成されている。各温度センサＴ１〜Ｔ３も同様に、対応する各ゾーンＳ１〜Ｓ３内における温度情報を制御手段Ｃに対して出力可能に構成されている。また、各送風ファンＦ１〜Ｆ３の運転は制御手段Ｃからの指令により制御され、作動の開始・停止、回転数の調整等を行うことができる。
【００２３】
つまり、各空調システムＵ１〜Ｕ３のうちの一つの空調システムである第２空調システムＵ２に着目して説明すると、第２ファンコイルユニット１０が第２ゾーン（空調対象ゾーン）Ｓ２に対応して配備されたファンコイルユニットとして機能し、第２送風ファンＦ２が第２ゾーン（空調対象空間）Ｓ２に送風する送風ファンとして機能し、更に、第２供給管３、第２導入量可変バルブ３Ａ及び第２排出口７が第２ゾーン（空調対象空間）Ｓ２を換気する換気手段として機能することで、これら構成が第２ゾーン（空調対象ゾーン）Ｓ２を空調する第２空調システムＵ２のゾーン空調手段を構成する。なお、第１空調システムＵ１及び第３空調システムＵ３の場合も同様の構成がゾーン空調手段を構成する。
【００２４】
また、第２空調システムＵ２に着目した際、第２人感センサＨ２が第２ゾーン（空調対象ゾーン）Ｓ２の人の存在を検知し、第３人感センサＨ３が第２ゾーン（空調対象ゾーン）Ｓ２に対する近傍ゾーンである第３ゾーンＳ３の人の存在を検知する人検知手段として機能する。即ち、第２空調システムＵ２に関して言えば、入口を介して立ち入った人が第１ゾーンＳ１、第２ゾーンＳ２、第３ゾーンＳ３の順に進行するように基本的な歩行順路が設定されているため、第２ゾーンＳ２が空調対象ゾーンに設定され、第２ゾーンＳ２の進行方向前側である第３ゾーンＳ３が近傍ゾーンに設定される（図４参照）。
なお、第１空調システムＵ１に着目した際、第１人感センサＨ１が第１ゾーン（空調対象ゾーン）Ｓ１の人の存在を検知し、第２人感センサＨ２が第１ゾーン（空調対象ゾーン）Ｓ１に対する近傍ゾーンである第２ゾーンＳ２の人の存在を検知する人検知手段として機能し、第１ゾーンＳ１が空調対象ゾーンに設定され、第２ゾーンＳ２が近傍ゾーンに設定される（図３参照）。更に、第３空調システムＵ３に着目した際、第３人感センサＨ３が第３ゾーン（空調対象ゾーン）Ｓ３の人の存在を検知する人検知手段として機能し、第３ゾーンＳ３が空調対象ゾーンに設定される（図５参照）。
【００２５】
制御手段Ｃは、演算部（図示せず）や記憶部（図示せず）を備えたコンピュータにて構成され、各種の制御プログラムを実行可能に構成されて、ゾーン空調手段、送風ファン及び換気手段その他の空気調和設備Ｗが備える機器の運転を制御可能に構成されている。
【００２６】
次に、制御手段Ｃの制御動作（第１空調システムＵ１〜第３空調システムＵ３を備えた空気調和設備Ｗの運転方法）について説明する。
【００２７】
図６に示すように、制御手段Ｃは、ユーザ等からの運転開始の指令が入力されると、空気調和設備Ｗに切替運転を実行させる（♯１、♯２）。
具体的には、図２に示すように、制御手段Ｃは、各ファンコイルユニット９〜１１を作動させる第一運転状態と、各ファンコイルユニット９〜１１を停止して各送風ファンＦ１〜Ｆ３を作動させる第二運転状態と、各ファンコイルユニット９〜１１及び各送風ファンＦ１〜Ｆ３を停止する停止状態とを順次に切り替える切替運転を実行させる。なお、切替運転の際には、制御手段Ｃは、換気装置Ｒを作動させるが、各導入量可変バルブ（換気手段）２Ａ〜４Ａの作動は停止させる。
【００２８】
また、切替運転の際には、制御手段Ｃは、例えば、冷房モードにおいて目標温度が２６℃に設定されると、各温度センサＴ１〜Ｔ３にて検出される温度が２６℃となるまで第一運転状態を実行させ、当該温度が２６℃になると、第一運転状態から第二運転状態に切替える。その後、当該温度が２７℃となるまで第二運転状態を実行させ、当該温度が２７℃となると、第二運転状態から停止状態に切替える。そして、当該温度が２８℃となるまで停止状態を実行させ、当該温度が２８℃となると、停止状態から第一運転状態に切替える。この切替運転は、基本的に、第１ゾーンＳ１の第１人感センサＨ１において人の存在が検知されるまで実行される（♯３）。これにより、第一運転状態では各ファンコイルユニット９〜１１により各ゾーンＳ１〜Ｓ３内を確実に空調することができ、第二運転状態では各送風ファンＦ１〜Ｆ３の送風（気流）により体感温度を変化させ快適性を維持しつつ省エネルギー化を図ることができ、さらに、停止状態では省エネルギー化を図ることができる。
【００２９】
図３に示すように、第１ゾーンＳ１の第１人感センサＨ１において人の存在が検知されると（♯３：Ｙｅｓ）、制御手段Ｃは、検知前の運転状態に拘らず、第１ファンコイルユニットＵ１、第１送風ファンＦ１及び第１導入量可変バルブ２Ａを作動させて、第１ゾーンＳ１を冷房する本空調運転を実行させ、第２ファンコイルユニットＵ２及び第２送風ファンＦ２を作動させ且つ第２導入量可変バルブ３Ａの作動を停止させて、第２ゾーンＳ２を冷房する準備空調運転を実行させる（♯４）。なお、制御手段Ｃは、第３ゾーンＳ３に関しては、上述の切替運転を継続して実行させる（ステップ♯４）。
一方で、第１ゾーンＳ１の第１人感センサＨ１において人の存在が検知されない場合には（♯３：Ｎｏ）、♯２に戻り、制御手段Ｃは切替運転を継続して実行させる（♯２）。
【００３０】
その後、第１人感センサＨ１において人の存在が検知されず、且つ、第２ゾーンＳ２の第２人感センサＨ２において人の存在が検知されると（♯５：Ｙｅｓ）、制御手段Ｃは、検知前の運転状態に拘らず、第２ファンコイルユニットＵ２、第２送風ファンＦ２及び第２導入量可変バルブ３Ａを作動させて、第２ゾーンＳ２を冷房する本空調運転を実行させ、第３ファンコイルユニットＵ３及び第３送風ファンＦ３を作動させ且つ第３導入量可変バルブ４Ａの作動を停止させて、第３ゾーンＳ３を冷房する準備空調運転を実行させる（♯６）。なお、制御手段Ｃは、第１ゾーンＳ１に関しては、上述の切替運転を実行させる（♯６）。
一方で、第２人感センサＨ２において人の存在が検知されず、且つ、第１人感センサＨ１において人の存在が検知されたままの状態で（♯５：Ｎｏ）、所定時間経過すると（♯７：Ｙｅｓ）、制御手段Ｃは、第１ゾーンＳ１に関しては、本空調運転から有人用切替運転に運転状態を変更して有人用切替運転を実行させ（♯８）、♯５に戻る。所定時間経過していない場合には（♯７：Ｎｏ）、♯４に戻り、制御手段Ｃは、第１ゾーンＳ１を冷房する本空調運転、第２ゾーンＳ２を冷房する準備空調運転を実行させ、第３ゾーンＳ３に関しては切替運転を継続して実行させる（♯４）。
なお、有人用切替運転の際には、制御手段Ｃは、第１送風ファンＦ１及び第１導入量可変バルブ２Ａを作動させ、第１ファンコイルユニット９を上記切替運転と同様に作動させる。即ち、冷房モードにおいて目標温度が２６℃に設定されると、制御手段Ｃは、第１ファンコイルユニット９を、第１温度センサＴ１にて検出される温度が２６℃となるまで作動させ、当該温度が２６℃になると作動を停止させて、当該温度が２８℃となるまで停止状態を維持させ、当該温度が２８℃となると、停止状態から作動状態に切替える。
【００３１】
続いて、第２人感センサＨ２において人の存在が検知されず、且つ、第３ゾーンＳ３の第３人感センサＨ３において人の存在が検知されると（♯９：Ｙｅｓ）、制御手段Ｃは、検知前の運転状態に拘らず、第３ファンコイルユニットＵ３、第３送風ファンＦ３及び第３導入量可変バルブ４Ａを作動させて、第３ゾーンＳ３を冷房する本空調運転を実行させる（♯１０）。なお、制御手段Ｃは、第１ゾーンＳ１及び第２ゾーンＳ２に関しては、上述の切替運転を実行させる（♯１０）。
一方で、第３人感センサＨ３において人の存在が検知されず、且つ、第２人感センサＨ２において人の存在が検知されたままの状態で（♯９：Ｎｏ）、所定時間経過すると（♯１１：Ｙｅｓ）、制御手段Ｃは、第２ゾーンＳ２に関しては、本空調運転から有人用切替運転に運転状態を変更して有人用切替運転を実行させ（♯１２）、♯９に戻る。所定時間経過していない場合には（♯１１：Ｎｏ）、♯６に戻り、制御手段Ｃは、第２ゾーンＳ２を冷房する本空調運転、第３ゾーンＳ３を冷房する準備空調運転を実行させ、第１ゾーンＳ１に関しては切替運転を継続して実行させる（♯６）。
なお、♯１２の有人用切替運転は、♯８と同様であるので説明を省略するが、制御手段Ｃは、第２送風ファンＦ２及び第２導入量可変バルブ３Ａを作動させ、第２ファンコイルユニット１０を上記切替運転と同様に作動させる。
【００３２】
そして、第３人感センサＨ３において人の存在が検知されなくなって（♯１３：Ｙｅｓ）、運転停止が指令されているときには（♯１４：Ｙｅｓ）、制御手段Ｃは空気調和設備Ｗの運転を停止する。
一方で、第３人感センサＨ３において人の存在が検知されたままの状態で（♯１３：Ｎｏ）、所定時間経過すると（♯１５：Ｙｅｓ）、制御手段Ｃは、第３ゾーンＳ３に関しては、本空調運転から有人用切替運転に運転状態を変更して有人用切替運転を実行させ（♯１６）、♯１３に戻る。所定時間経過していない場合には（♯１５：Ｎｏ）、♯１０に戻り、制御手段Ｃは、第３ゾーンＳ３を冷房する本空調運転を実行させ、第１ゾーンＳ１及び第２ゾーンＳ２に関しては切替運転を継続して実行させる（♯１０）。
なお、♯１６の有人用切替運転は、♯８及び♯１２と同様であるので説明を省略するが、制御手段Ｃは、第３送風ファンＦ３及び第３導入量可変バルブ４Ａを作動させ、第３ファンコイルユニット１１を上記切替運転と同様に作動させる。
他方で、第３人感センサＨ３において人の存在が検知されなくなって（♯１３：Ｙｅｓ）、運転停止が指令されていないときには（♯１４：Ｎｏ）、♯２に戻り、制御手段Ｃは第１ゾーンＳ１〜第３ゾーンＳ３に関して切替運転を実行させる（♯２）。
【００３３】
よって、切替運転において各ゾーンＳ１〜Ｓ３を冷房する冷房モードの実行中に、各人感センサＨ１〜Ｈ３が近傍ゾーンとして設定されるゾーンにおいて人の存在を検知したときには、検知前の運転状態に拘らず、制御手段Ｃが、準備空調運転として各ファンコイルユニット９〜１１と各送風ファンＦ１〜Ｆ３を適宜作動させて各導入量可変バルブ２Ａ〜４Ａの作動を停止する空調運転を実行させて、空調対象ゾーンとして設定されるゾーン内における人の不在時の省エネルギー化を図ることができるとともに、近傍ゾーンに存在する人が空調対象ゾーン内に移動する前に、各送風ファンＦ１〜Ｆ３によって空調対象ゾーン内に発生させた気流により空気を循環させつつ、予め空調対象ゾーン内をある程度冷房し（無人用の準備空調運転をし）、空調対象ゾーン内に人が移動した後に有人用の本空調運転を行った際には、より迅速に目標温度に収束させることが可能となる。従って、当該人の温冷感の悪化及び快適性の低下をより確実に防止することができる。
同様に、冷房モードの実行中に、各人感センサＨ１〜Ｈ３が空調対象ゾーンにおいて人の存在を検知したときは、検知前の運転状態に拘らず、本空調運転として各ファンコイルユニット９〜１１と各送風ファンＦ１〜Ｆ３と各導入量可変バルブ２Ａ〜４Ａとを作動させる空調運転を実行させて、空調対象ゾーン内における温度調整・送風・換気（空気清浄度の調整）を確実に行うことができ、快適性を維持することができる。
【００３４】
〔別実施形態〕
（１）上記実施形態では、制御手段Ｃが、各空調システムＵ１〜Ｕ３の各ファンコイルユニット９〜１１を作動させて、空調対象空間Ｓ内が目標温度（例えば、２６℃）となるように冷房する冷房モードを実行するように構成し、準備空調運転及び本空調運転において各ファンコイルユニット９〜１１及び各送風ファンＦ１〜Ｆ３の両方を作動（例えば、第１ゾーンを冷房する際に、第１ファンコイルユニット９及び第１送風ファンＦ１の両方を作動）させるように構成した。
これに対して、制御手段Ｃが各ファンコイルユニットＵ１〜Ｕ３を作動させて空調対象空間Ｓ内が目標温度となるように暖房する暖房モードを実行するように構成することもできる。この場合、制御手段Ｃは、準備空調運転として、各導入量可変バルブ２Ａ〜４Ａの作動を停止して各ファンコイルユニットＵ１〜Ｕ３と各送風ファンＦ１〜Ｆ３を作動させる空調運転を実行させ、且つ、本空調運転として、各送風ファンＦ１〜Ｆ３を停止して各ファンコイルユニット９〜１１と各導入量可変バルブ２Ａ〜４Ａを作動させる空調運転を実行させることができる。これにより、切替運転において各ゾーンＳ１〜Ｓ３を暖房する暖房モードの実行中に、各人感センサＨ１〜Ｈ３が近傍ゾーンとして設定されるゾーンにおいて人の存在を検知したときには、検知前の運転状態に拘らず、制御手段Ｃが、準備空調運転として各導入量可変バルブ２Ａ〜４Ａの作動を停止して各ファンコイルユニット９〜１１と各送風ファンＦ１〜Ｆ３を適宜作動させる空調運転を実行させて、空調対象ゾーンとして設定されるゾーン内における人の不在時の省エネルギー化を図ることができるとともに、近傍ゾーンに存在する人が空調対象ゾーン内に移動する前に、各送風ファンＦ１〜Ｆ３によって空調対象ゾーン内に発生させた気流により空気を循環させつつ、予め空調対象ゾーン内をある程度暖房し（無人用の準備空調運転をし）、空調対象ゾーン内に人が移動した後に有人用の本空調運転を行った際には、より迅速に目標温度に収束させることが可能となる。従って、当該人の温冷感の悪化及び快適性の低下をより確実に防止することができる。
同様に、暖房モードの実行中に、各人感センサＨ１〜Ｈ３が空調対象ゾーンにおいて人の存在を検知したときは、検知前の運転状態に拘らず、本空調運転として各送風ファンＦ１〜Ｆ３を停止して各ファンコイルユニット９〜１１と各導入量可変バルブ２Ａ〜４Ａを適宜作動させる空調運転を実行させて、空調対象ゾーン内における温度調整・換気（空気清浄度の調整）を確実に行うことができ、快適性を維持することができる。
【００３５】
（２）上記実施形態では、ゾーン空調手段が各空調対象ゾーンに対応して配備されたファンコイルユニットを備えた構成について説明したが、ゾーン空調手段としては、各空調対象ゾーンを良好に空調（冷房・暖房）することができる構成であれば、空調可変風量制御装置（ＶＡＶ）やエアコン等を備える構成とすることができる。
【００３６】
（３）上記実施形態では、空調対象空間Ｓとして直列に連通する３つのゾーンＳ１〜Ｓ３とする例を示したが、その数は適宜増減することができ、各ゾーン同士を開閉扉を備えた壁等により区画するように構成することもできる。この際には、空調システムの数もゾーン数に合わせて適宜増減することができる。
また、上記実施形態では、空調対象空間Ｓにおいて第１ゾーンＳ１、第２ゾーンＳ２、第３ゾーンＳ３の順で歩行順路を設定したが、この逆の順で歩行順路を設定してもよく、空調対象空間Ｓとしての数を増加させる場合には、一つのゾーンが３つ以上のゾーンに連通するように構成して複数の歩行順路を設定したり、すべてのゾーンを直列に連通させて環状の歩行順路を設定することもできる。
更に、上記実施形態では、空調対象空間Ｓにおいて第１ゾーンＳ１、第２ゾーンＳ２、第３ゾーンＳ３の順で歩行順路を設定して、空調対象ゾーンに対して歩行順路における進行方向の前側に存在するゾーンを、空調対象ゾーンの近傍ゾーンとして設定したが、この構成に替えて或いは追加して、近傍ゾーンを、空調対象ゾーンに対して歩行順路における進行方向の後側に存在するゾーンに設定することもできる。このように設定すると、空調対象ゾーンに存在する人が、歩行順路における進行方向の前側に移動せずに、後側に移動した場合でも、移動先のゾーン（近傍ゾーン）を準備空調運転させておくことができる。
【００３７】
（４）上記実施形態では、有人用の本空調運転（冷房モード時）として、各ファンコイルユニット９〜１１による温度調整と各送風ファンＦ１〜Ｆ３による送風と各導入量可変バルブ２Ａ〜４Ａによる換気（空気清浄度の調整）とを行い、無人用の準備空調運転（冷房モード時）として、各ファンコイルユニット９〜１１による温度調整と各送風ファンＦ１〜Ｆ３による送風とを行う構成としたが、有人用の本空調運転よりも省エネルギーな無人用の準備空調運転とすることのできる構成であれば、本空調運転及び準備空調運転の構成を適宜変更することができ、例えば、湿度調整等を追加で行う構成とすることもできる。
【００３８】
（５）上記実施形態では、有人用の本空調運転を行っているゾーンにおいて、人感センサにより人が当該ゾーン内に所定時間存在（滞在）し続けていることが検知された場合には、当該ゾーンに関して、制御手段Ｃが本空調運転から有人用切替運転に運転状態を変更するように構成したが、このような変更をしないように構成することもできる。また、所定時間は適宜変更することもできる。
【００３９】
（６）上記実施形態では、各人感センサＨ１〜Ｈ３において人を検知していない状態では、制御手段Ｃがすべてのゾーンのゾーン空調手段に対して切替運転を実行させるように構成したが、切替運転を行わずにすべてのゾーンのゾーン空調手段を停止する構成としてもよく、また、一つ以上のゾーンのゾーン空調手段についてのみ切替運転を行う構成としてもよい。
【００４０】
（７）上記実施形態では、換気装置Ｒを外部空間に一つ設けて常時運転し、換気装置Ｒに接続される各導入量可変バルブ２Ａ〜４Ａを各ゾーンＳ１〜Ｓ３に対応するように配置したが、複数の換気装置Ｒを各ゾーンＳ１〜Ｓ３の夫々に配置するように構成してもよく、換気装置Ｒを省略する構成としてもよい。
【００４１】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００４２】
２Ａ  第１導入量可変バルブ（換気手段）
３Ａ  第２導入量可変バルブ（換気手段）
４Ａ  第３導入量可変バルブ（換気手段）
９    第１ファンコイルユニット（ファンコイルユニット）
９ａ  吸引口
９ｂ  供給口
１０  第２ファンコイルユニット（ファンコイルユニット）
１１  第３ファンコイルユニット（ファンコイルユニット）
Ｃ    制御手段
Ｆ１  第１送風ファン（送風ファン）
Ｆ２  第２送風ファン（送風ファン）
Ｆ３  第３送風ファン（送風ファン）
Ｈ１  第１人感センサ（人検知手段）
Ｈ２  第２人感センサ（人検知手段）
Ｈ３  第３人感センサ（人検知手段）
Ｕ１  第１空調システム（空調システム）
Ｕ２  第２空調システム（空調システム）
Ｕ３  第３空調システム（空調システム）
Ｓ１  第１ゾーン（近傍ゾーン、空調対象ゾーン）
Ｓ２  第２ゾーン（近傍ゾーン、空調対象ゾーン）
Ｓ３  第３ゾーン（近傍ゾーン、空調対象ゾーン）
Ｗ    空気調和設備
【図１】
2015114085.tif 000003
【図２】
2015114085.tif 000004
【図３】
2015114085.tif 000005
【図４】
2015114085.tif 000006
【図５】
2015114085.tif 000007
【図６】
2015114085.tif 000008